(57)【要約】【課題】  安価な装置にて最適な指向性を有し且つ美観を損なわずにオフィスや病院等を始めとするあらゆる職場で働く人やロボットの位置情報を取得することができ、該位置情報を基に所在地管理や動線管理を行うことができる、位置情報管理システムを得る。【解決手段】  ＬＥＤを発光体としたＬＥＤ照明装置内に、ＬＥＤ照明光の放射及び外部の人又はロボットが所有するＩＤ通信装置にフォトＩＤ信号を送信するためのＬＥＤ照明灯と、外部の人又はロボットより放射される赤外線を検出するための赤外線センサーと、ＩＤ通信装置より送信されるフォトＩＤ信号を受信するためのフォトセンサーと、これらの制御及びネットワーク通信の制御を行うための制御装置及び直流電源装置を内蔵して構成する。また、複数のＬＥＤ照明装置をサーバーに接続し、該サーバーと外部の位置情報管理センターとを通信網を中継して接続する。【選択図】        図１
2005061934.tif 000002
【特許請求の範囲】
【請求項１】
ＬＥＤ照明装置（１）が、ＬＥＤ照明光（１０）の放射及び外部の人（１４）又はロボットが所有するＩＤ通信装置（１３）にフォトＩＤ信号を送信するためのＬＥＤ照明灯（２）と、外部の人（１４）又はロボットより放射される赤外線を検出するための赤外線センサー（３）と、前記ＩＤ通信装置（１３）より送信されるフォトＩＤ信号（１２）を受信するためのフォトセンサー（４）と、該ＬＥＤ照明灯（２）と赤外線センサー（３）とフォトセンサー（４）の制御及びネットワーク通信の制御を行うための制御装置（１５）及び直流電源装置（２０）を内蔵して構成され、
ＩＤ通信装置（１３）が、ＬＥＤ照明装置（１）のＬＥＤ照明灯（２）より送信されるフォトＩＤ信号を受信するためのフォトセンサー（２５）及びセンサーインターフェース部（２８）と、ＬＥＤ照明装置（１）にフォトＩＤ信号（１２）を送信するための赤外線ＬＥＤ（２６）及び点灯制御部（２９）と、該センサーインターフェース部（２８）と点灯制御部（２９）の制御を行うための制御部（２７）及びバッテリー（３０）を内蔵して構成されたものであることを特徴とする、ＬＥＤ照明装置を利用した位置情報管理システム。
【請求項２】
ＬＥＤ照明装置（１）が、ＬＥＤ照明光（１０）の放射及び外部の人（１４）又はロボットが所有するＩＤ通信装置（１３’）にフォトＩＤ信号を送信するためのＬＥＤ照明灯（２）と、外部の人（１４）又はロボットより放射される赤外線を検出するための赤外線センサー（３）と、該ＬＥＤ照明灯（２）と赤外線センサー（３）の制御及びネットワーク通信の制御を行うための制御装置（１５）及び直流電源装置（２０）を内蔵して構成され、
ＩＤ通信装置（１３’）が、ＬＥＤ照明装置（１）のＬＥＤ照明灯（２）より送信されるフォトＩＤ信号を受信するためのフォトセンサー（２５）及びセンサーインターフェース部（２８）と、無線基地局（３３）にワイヤレスＩＤ信号（３５）を送信するための無線送信部（３１）及びアンテナ（３２）と、該センサーインターフェース部（２８）と無線送信部（３１）の制御を行うための制御部（２７）及びバッテリー（３０）を内蔵して構成されたものであることを特徴とする、ＬＥＤ照明装置を利用した位置情報管理システム。
【請求項３】
無線基地局（３３）が、ＩＤ通信装置（１３’）より送信されるワイヤレスＩＤ信号（３５）を受信するための無線受信部（３７）及びアンテナ（３４）と、サーバー（６）に接続するためのネットワーク通信部（３８）と、該無線受信部（３７）とネットワーク通信部（３８）の制御を行うための制御部（３６）及び電源部（３９）を内蔵して構成されたものであることを特徴とする、請求項２に記載のＬＥＤ照明装置を利用した位置情報管理システム。
【請求項４】
複数のＬＥＤ照明装置（１）のネットワーク通信部（１６）をＬＡＮ接続手段にてサーバー（６）に接続し、該サーバー（６）と外部の位置情報管理センター（２２）とをインターネットやＰＳＴＮ等の通信網（２１）を中継して接続したことを特徴とする、請求項１及び請求項２に記載のＬＥＤ照明装置を利用した位置情報管理システム。
【請求項５】
上記ＬＡＮ接続手段が、ＬＡＮケーブル（８）によるものであることを特徴とする請求項１、２及び請求項４に記載のＬＥＤ照明装置を利用した位置情報管理システム。
【請求項６】
上記ＬＡＮ接続手段が、商用電源（５）又は非常灯用電源を用いた電灯線ネットワークによるものであることを特徴とする請求項１、２及び請求項４に記載のＬＥＤ照明装置を利用した位置情報管理システム。
【請求項７】
ＬＥＤ照明灯（２）の点灯電流が、照明のための直流部とＩＤ信号のためのＦＳＫ又はＰＳＫによるデジタル変調部との直流重畳方式であることを特徴とする、請求項１及び請求項２に記載のＬＥＤ照明装置を利用した位置情報管理システム。
【発明の詳細な説明】
【技術分野】
【０００１】
本発明は、ＬＥＤ照明装置を利用してオフィスや病院等を始めとするあらゆる職場で働く人やロボットの位置情報を取得し、該位置情報を基に人やロボットの所在地管理や動線管理を行うことができる、ＬＥＤ照明装置を利用した位置情報管理システムに関するものである。
【背景技術】
【０００２】
従来、オフィスや病院等を始めとするあらゆる職場で働く人の所在地の把握及び行動を管理する方法として、同僚や上司又は監視員に行き先を報告する方法や、ホワイトボードやノートに行き先を記載する方法等が一般的に行われている。
【０００３】
しかし、上記従来方法における同僚や上司又は監視員への行き先の報告や、ホワイトボードやノートへの行き先の記載行為は面倒であると共に、虚偽の報告や記載が行われた場合には情報の信憑性がなくなってしまうといった問題点があった。また、管理対象がロボットの場合には上記行き先の報告や記載といった行為自体が行えず、画像や各種センサーからの情報を基に狭い範囲での移動管理しか行えないといった問題点があった。本願出願人は、該問題点を解決すべく特願２００２−６５６８４号の「ＳＡＷ−ＩＤカードによる位置情報管理システム」において人の所在地管理や動線管理を行う方法を提案し、特願２００２−２５８７７号の「ＳＡＷ−ＩＤタグによるロボット位置情報管理システム」においてロボットの所在地管理や移動管理を行う方法を提案した。
【特許文献１】特願２００２−６５６８４号
【特許文献２】特願２００２−２５８７７号
【発明の開示】
【発明が解決しようとする課題】
【０００４】
上記特願２００２−６５６８４号の「ＳＡＷ−ＩＤカードによる位置情報管理システム」においては、異なるＩＤパターンを発生することが可能な固有のＩＤパターンを有するＳＡＷ−ＩＤ（Surface Acoustic Wave-Identification）タグを社員ＩＤカード等に配設したＳＡＷ−ＩＤカードをオフィスや病院等を始めとするあらゆる職場で働く人に携行させ、該職場内の天井又は天井付近、更にはドアの近傍及び位置検出を行いたい特定の場所に前記ＳＡＷ−ＩＤタグに対し位置検出用のパルス信号の発射及び当該ＳＡＷ−ＩＤタグが反射する固有のＩＤパターン信号の受信が可能なＳＡＷ−ＩＤパルス送受信機を適度な間隔を設けて複数配置する。また、該複数のＳＡＷ−ＩＤパルス送受信機をＬＡＮ接続し、該ＬＡＮに接続されたサーバーにてＳＡＷ−ＩＤタグが反射したＩＤパターン信号の内容及び反射時間を解析処理することによりＳＡＷ−ＩＤタグの位置すなわち当該職場内にいる人の位置情報を算出し、該位置情報をデータベース化して所在地管理や動線管理を行うものである。
【０００５】
また、上記特願２００２−２５８７７号の「ＳＡＷ−ＩＤタグによるロボット位置情報管理システム」においては、異なるＩＤパターンを発生することが可能な固有のＩＤパターンを有するＳＡＷ−ＩＤタグを屋内の天井や壁等に複数貼付し、ロボットに前記ＳＡＷ−ＩＤタグに対し位置検出用のパルス信号の発射及び当該ＳＡＷ−ＩＤタグが反射する固有のＩＤパターン信号の受信が可能なＳＡＷ−ＩＤパルス送受信機を配設する。そして、該複数のＳＡＷ−ＩＤタグが反射したＩＤパターン信号の内容及び反射時間を解析処理することにより当該ロボットの位置情報を算出し、該位置情報をデータベース化して所在地管理や移動管理を行うものである。
【０００６】
しかしながら、上記方法において前者では室内や廊下等において天井又はドア付近等に多数のＳＡＷ−ＩＤパルス送受信機を配設する必要があり、構築コストが高価になってしまうといった問題点があった。また、後者では同様に多数のＳＡＷ−ＩＤタグを貼付する必要があり、複数のＩＤパターン信号の弁別や解析処理に困難が伴うといった問題点があった。また、両者においてＳＡＷ−ＩＤパルス送受信機のアンテナとＳＡＷ−ＩＤタグとの指向性に問題があり、更にはＳＡＷ−ＩＤパルス送受信機やＳＡＷ−ＩＤタグが天井又はドア付近等に多数配設されることにより美観が悪くなってしまうといった問題点もあった。
【０００７】
本発明は、以上のような問題点を解決するために成されたものであり、安価な装置にて最適な指向性を有し且つ美観を損なわずにオフィスや病院等を始めとするあらゆる職場で働く人やロボットの位置情報を取得することができ、該位置情報を基に人やロボットの所在地管理や動線管理を行うことができる、ＬＥＤ照明装置を利用した位置情報管理システムを提供することを目的とする。
【課題を解決するための手段】
【０００８】
上記課題を解決するための第一手段は、オフィスや病院等を始めとするあらゆる職場の天井に設置されている照明装置としてＬＥＤを発光体としたＬＥＤ照明装置を使用し、該ＬＥＤ照明装置内に、ＬＥＤ照明光の放射及び外部の人又はロボットが所有するＩＤ通信装置にフォトＩＤ信号を送信するためのＬＥＤ照明灯と、外部の人又はロボットより放射される赤外線を検出するための赤外線センサーと、前記ＩＤ通信装置より送信されるフォトＩＤ信号を受信するためのフォトセンサーと、該ＬＥＤ照明灯と赤外線センサーとフォトセンサーの制御及びネットワーク通信の制御を行うための制御装置及び直流電源装置を内蔵して構成する。
【０００９】
また、上記ＩＤ通信装置は、ＬＥＤ照明装置のＬＥＤ照明灯より送信されるフォトＩＤ信号を受信するためのフォトセンサー及びセンサーインターフェース部と、ＬＥＤ照明装置にフォトＩＤ信号を送信するための赤外線ＬＥＤ及び点灯制御部と、該センサーインターフェース部と点灯制御部の制御を行うための制御部及びバッテリーを内蔵して構成する。
【００１０】
また、上記複数のＬＥＤ照明装置のネットワーク通信部をＬＡＮ接続手段にてサーバーに接続し、該サーバーと外部の位置情報管理センターとをインターネットやＰＳＴＮ等の通信網を中継して接続する。
【００１１】
上記課題を解決するための第二手段は、オフィスや病院等を始めとするあらゆる職場の天井に設置されている照明装置としてＬＥＤを発光体としたＬＥＤ照明装置を使用し、該ＬＥＤ照明装置内に、ＬＥＤ照明光の放射及び外部の人又はロボットが所有するＩＤ通信装置にフォトＩＤ信号を送信するためのＬＥＤ照明灯と、外部の人又はロボットより放射される赤外線を検出するための赤外線センサーと、該ＬＥＤ照明灯と赤外線センサーの制御及びネットワーク通信の制御を行うための制御装置及び直流電源装置を内蔵して構成する。
【００１２】
また、上記ＩＤ通信装置は、ＬＥＤ照明装置のＬＥＤ照明灯より送信されるフォトＩＤ信号を受信するためのフォトセンサー及びセンサーインターフェース部と、無線基地局にワイヤレスＩＤ信号を送信するための無線送信部及びアンテナと、該センサーインターフェース部と無線送信部の制御を行うための制御部及びバッテリーを内蔵して構成する。
【００１３】
また、上記無線基地局は、ＩＤ通信装置より送信されるワイヤレスＩＤ信号を受信するための無線受信部及びアンテナと、サーバーに接続するためのネットワーク通信部と、該無線受信部とネットワーク通信部の制御を行うための制御部及び電源部を内蔵して構成する。
【００１４】
また、上記複数のＬＥＤ照明装置のネットワーク通信部をＬＡＮ接続手段にてサーバーに接続し、該サーバーと外部の位置情報管理センターとをインターネットやＰＳＴＮ等の通信網を中継して接続する。
【発明の効果】
【００１５】
本発明のＬＥＤ照明装置を利用した位置情報管理システムをオフィスや病院等を始めとするあらゆる職場にて採用すれば、人やロボットが所有するＩＤ通信装置とフォトＩＤ信号による通信を行うＬＥＤ照明灯がＬＥＤ照明装置に内蔵されるため、最適な指向性を有し且つ美観を損なわずに人やロボットの位置情報を取得することができるという効果を奏する。また、ＩＤ通信の手段が赤外線通信又は無線通信であるため通信装置が安価にでき、構築コストも安価になるという効果を奏する。更には周囲に各種センサーの存在を意識させることなく人やロボットの所在地管理や動線管理を行うことができるという効果も奏する。
【発明を実施するための最良の形態】
【００１６】
本発明を実施の形態を図を用いて説明する。図１は本発明のＬＥＤ照明装置を利用した位置情報管理システムの一実施例のシステム構成図である。該図に示すように、本発明のＬＥＤ照明装置１を利用した位置情報管理システムにおいては、オフィスや病院等を始めとするあらゆる職場の天井９の照明装置としてＬＥＤを発光体としたＬＥＤ照明装置１を設置する。そして、該ＬＥＤ照明装置１の電源として商用電源５を使用し、電源線７により多数のＬＥＤ照明装置１間を配線する。また、通信システムとしてＬＡＮケーブル８により多数のＬＥＤ照明装置１間を接続し、サーバー６と接続する。なお、専用アダプタ（図示せず）を介して電源線７に信号を重畳させることができる電灯線ネットワークにより多数のＬＥＤ照明装置１をサーバー６と接続すればＬＡＮケーブル８は不要となる。
【００１７】
また、図２は本発明のＬＥＤ照明装置を利用した位置情報管理システムにおけるＬＥＤ照明装置の一実施例の正面図であり、図３は本発明のＬＥＤ照明装置を利用した位置情報管理システムにおける制御装置の一実施例の構成ブロック図である。該図に示すように、ＬＥＤ照明装置１内には、ＬＥＤ照明光１０の放射及び各ＬＥＤ照明装置１が有する固有ＩＤをフォトＩＤ信号として照明エリア内に送信するための多数のＬＥＤ照明灯２と、外部の人１４又はロボット（図示せず）より放射される赤外線１１を検出するための赤外線センサー３と、外部の人１４又はロボットが所有するＩＤ通信装置１３より送信されるフォトＩＤ信号を受信するためのフォトセンサー４と、該ＬＥＤ照明灯２と赤外線センサー３とフォトセンサー４の制御及びネットワーク接続の制御を行うための制御装置１５及び直流電源装置２０を内蔵して構成する。該制御装置１５は、前記赤外線センサー３とフォトセンサー４の信号レベル変換を行うためのセンサーインターフェース部１８と、ＬＥＤ照明灯２に当該ＬＥＤ照明装置１が有する固有ＩＤ信号を重畳させてフォトＩＤ信号として送信するため点灯制御部１９と、ＬＡＮ接続によりサーバー６と通信を行うためのネットワーク通信部１６と、該センサーインターフェース部１８と点灯制御部１９とネットワーク通信部１６の制御を行うための制御部１７にて構成する。なお、ＩＤ通信装置１３より送信されるＩＤ信号をワイヤレスＩＤ信号とした場合は、ＬＥＤ照明装置１内におけるフォトセンサー４は不要となる。また、ロボットは人１４のように体温による赤外線を放射することができないため、ヒーター等により擬似体温を発生させることができる装置を内蔵することにより赤外線を放射させることが可能となる。
【００１８】
また、図７は本発明のＬＥＤ照明装置を利用した位置情報管理システムの第一手段で使用するＩＤ通信装置の構成ブロック図である。該図に示すように、人１４又はロボットが所有するＩＤ通信装置１３は、上記ＬＥＤ照明装置１のＬＥＤ照明灯２より送信されるフォトＩＤ信号を受信するためのフォトセンサー２５及び当該フォトセンサー２５の信号レベル変換及び復調を行うためのセンサーインターフェース部２８と、該ＩＤ通信装置１３が有する固有ＩＤをフォトＩＤ信号１２としてＬＥＤ照明装置１に送信するための赤外線ＬＥＤ２６及び当該赤外線ＬＥＤ２６の変調点灯を行うための点灯制御部２９と、該センサーインターフェース部２８と点灯制御部２９の制御を行うための制御部２７及びバッテリー３０を内蔵して構成する。
【００１９】
また、図８は本発明のＬＥＤ照明装置を利用した位置情報管理システムの第二手段で使用するＩＤ通信装置の構成ブロック図である。該図に示すように、人１４又はロボットが所有するＩＤ通信装置１３’は、上記ＬＥＤ照明装置１のＬＥＤ照明灯２より送信されるフォトＩＤ信号を受信するためのフォトセンサー２５及び当該フォトセンサー２５の信号レベル変換及び復調を行うためのセンサーインターフェース部２８と、該ＩＤ通信装置１３’が有する固有ＩＤをワイヤレスＩＤ信号３５として外部の無線基地局３３に送信するためのアンテナ３２及び無線送信部３１と、該センサーインターフェース部２８と無線送信部３１の制御を行うための制御部２７及びバッテリー３０を内蔵して構成する。
【００２０】
また、図９は本発明のＬＥＤ照明装置を利用した位置情報管理システムの第二手段で使用する無線基地局の構成ブロック図である。該図に示すように、無線基地局３３は、上記ＩＤ通信装置１３’より送信されるワイヤレスＩＤ信号３５を受信するためのアンテナ３４及び無線受信部３７と、ＬＡＮケーブル８によるＬＡＮ接続によりサーバー６と通信を行うためのネットワーク通信部３８と、該無線受信部３７とネットワーク通信部３８の制御を行うための制御部３６及び電源部３９を内蔵して構成する。なお、ＬＡＮ接続に無線ＬＡＮを使用すればＬＡＮケーブル８は不要となる。
【００２１】
また、図６は本発明のＬＥＤ照明装置を利用した位置情報管理システムで使用する第一手段のＩＤ通信装置の外形斜視図である。該図に示すように、人１４が所有するＩＤ通信装置１３は社員証等を入れることができる社員証カードホルダーと兼用した形状とし、胸にバッジで止めたり紐で首に吊り下げるようにすると好適であるが特に限定するものではない。また、バッテリー３０に太陽電池や他の発電装置（図示せず）を接続すれば、バッテリー３０に二次電池を使用することができ、ＩＤ通信装置１３を長時間使用することが可能となる。なお、ロボットが所有するＩＤ通信装置１３は当該ロボットに内蔵できるため、形状は特に問わない。
【００２２】
また、図４は本発明のＬＥＤ照明装置を利用した位置情報管理システムの一実施例のネットワーク構成図である。該図に示すように、複数のＬＥＤ照明装置１のネットワーク通信部１６をＬＡＮケーブル８にてサーバー６に接続し、該サーバー６と外部の位置情報管理センター２２とをインターネットやＰＳＴＮ等の通信網２１を中継して接続する。また、位置情報管理センター２２は位置情報管理システムを構築したオフィスや病院等の職場の内部にあっても外部にあっても構わない。なお、前記ＬＡＮケーブル８によるＬＡＮ接続に代え、専用アダプタを介して電源線７に信号を重畳させることができる電灯線ネットワークを使用すればＬＡＮケーブル８は不要となる。
【実施例】
【００２３】
本発明の実施例を図を用いて説明する。まず、図１に示すように、オフィスや病院等を始めとするあらゆる職場の室内や廊下等の天井９に照明装置としてＬＥＤを発光体としたＬＥＤ照明装置１を設置する。該ＬＥＤ照明装置１の電源として商用電源５を使用し、電源線７により多数のＬＥＤ照明装置１間を配線し、通信システムとしてＬＡＮケーブル８により多数のＬＥＤ照明装置１間を配線し、サーバー６を接続している。また、図２に示すように、ＬＥＤ照明装置１の形状は従来の蛍光管を使用した照明器具と形状互換を取るために同一形状とし、長手方向にＬＥＤ照明灯２を多数配列してある。個々のＬＥＤ照明灯２は、単色の白色ＬＥＤ又はＲＧＢ３色のＬＥＤを組み合わせて使用するのが好適であるが特に限定するものではない。また、ＬＥＤ照明装置１の両端部に赤外線センサー３を配設し、第一手段においてはフォトセンサー４を配設する。これは、廊下等においてＬＥＤ照明装置１を長手方向に設置することが多く、１つのＬＥＤ照明装置１に各センサーを２箇所に配置すれば読み取り精度が向上するため好適であるがこれも特に限定するものではない。また、ＬＥＤ照明装置１を新設する場合には当該ＬＥＤ照明装置１自体の形状も図２に示すものに限定するものではない。
【００２４】
次に、ＬＥＤ照明装置１の下をＩＤ通信装置１３を所有した人１４が通ると当該人１４から放射される赤外線１１を赤外線センサー３が検出することにより制御部１７が作動し、点灯制御部１９においてＬＥＤ照明装置１が有する固有ＩＤを変調して点灯電流に直流重畳し、ＩＤ信号を重畳したＬＥＤ照明光１０としてＬＥＤ照明灯２を点灯させる。図５は本発明のＬＥＤ照明装置を利用した位置情報管理システムにおけるＬＥＤ照明灯の一実施例の点灯電流波形図であり、通常はＩＤ無し点灯電流２３によりＬＥＤ照明灯２を点灯させているが、赤外線センサー３により人１４を検出するとＩＤ有り点灯電流２４によりＬＥＤ照明灯２を点灯させる。該ＩＤ有り点灯電流２４のパルス波形はＦＳＫ又はＰＳＫによるデジタル変調とし、変調度は照明にちらつきが出ない程度に浅くした直流重畳方式とする。なお、本実施例ではＬＥＤ照明灯２の長寿命化のために人１４が接近した時にのみＩＤ信号の重畳を行っているが、連続して重畳させても構わない。
【００２５】
そして、人１４が所有するＩＤ通信装置１３，１３’のフォトセンサー２５が上記ＩＤ信号を重畳したＬＥＤ照明光１０を受信すると、センサーインターフェース部２８にて信号レベル変換及び復調を行い、ＬＥＤ照明装置１のＩＤ情報を取得する。次に、第一手段のＩＤ通信装置１３は当該ＩＤ通信装置１３が有する固有ＩＤをＩＤ信号として点灯制御部２９により変調し、赤外線ＬＥＤ２６よりフォトＩＤ信号１２としてＬＥＤ照明装置１に送信する。また、第二手段のＩＤ通信装置１３’は当該ＩＤ通信装置１３’が有する固有ＩＤをＩＤ信号として無線送信部３１により変調し、ワイヤレスＩＤ信号３５として無線基地局３３に送信する。なお、図１では第一手段と第二手段を併記しており、一点鎖線内は第二手段で使用する無線手段を示している。
【００２６】
そして、第一手段においてＬＥＤ照明装置１のフォトセンサー４が上記フォトＩＤ信号１２を受信すると、センサーインターフェース部１８にて信号レベル変換及び復調を行い当該ＩＤ通信装置１３のＩＤ情報を取得する。次に、制御部１７にて前記ＩＤ通信装置１３のＩＤ情報と当該ＬＥＤ照明装置１のＩＤ情報とを結合してネットワーク通信部１６に送出する。また、第二手段において無線基地局３３が上記ワイヤレスＩＤ信号３５を受信すると、無線受信部３７にて復調を行い当該ＩＤ通信装置１３’のＩＤ情報を取得する。次に、制御部３６にて前記ＩＤ通信装置１３’のＩＤ情報と当該ＬＥＤ照明装置１のＩＤ情報とを結合してネットワーク通信部３８に送出する。多数のＬＥＤ照明装置１のネットワーク通信部１６，３８は、図４に示すように、ＬＡＮケーブル８を中継してサーバー６に接続される。該サーバー６では、前記ＩＤ通信装置１３のＩＤ情報とＬＥＤ照明装置１のＩＤ情報に時刻情報を付け、インターネットやＰＳＴＮ等の通信網２１を経由して位置情報管理センター２２に送信する。該位置情報管理センター２２では、受信したＩＤ通信装置１３のＩＤ情報とＬＥＤ照明装置１のＩＤ情報及び時刻情報を解析処理することにより、予め位置の分かっているＬＥＤ照明装置１のＩＤ情報を基にオフィスや病院等を始めとするあらゆる職場で働く人１４の位置情報を取得することができる。更に、該位置情報をデータベース化することにより所在地管理や動線管理等を一元管理することもできる。
【００２７】
なお、第一手段においてＩＤ通信装置１３から送信されるフォトＩＤ信号１２をＬＥＤ照明装置１で受信し、第二手段においてＩＤ通信装置１３’から送信されるワイヤレスＩＤ信号３５を無線基地局３３で受信する方法を示したが、第一手段と第二手段を組合せ、両手段によるＩＤ情報の伝送を行えば信頼性が向上してより好適となる。
【００２８】
なお、上記ＬＥＤ照明装置１に配設した赤外線センサー３は焦電センサーが好適であり、ＬＥＤ照明装置１及びＩＤ通信装置１３に配設したフォトセンサー４，２５はフォトダイオードが好適であるが特に限定するものではない。また、夜間等においてＬＥＤ照明灯２を消灯している時にも位置情報を取得する場合には、ＩＤ信号を重畳させるＬＥＤを専用の赤外線ＬＥＤにすることにより消灯時でも使用することができる。また、停電時等において商用電源５が使用できなくなった時にも位置情報を取得する場合は、直流電源装置２０と非常灯用電源を切替えることにより停電時でも使用することができる。
【産業上の利用可能性】
【００２９】
本発明のＬＥＤ照明装置を利用した位置情報管理システムは、オフィスや病院等を始めとするあらゆる職場で働く人やロボットを対象に室内や廊下等で使用することを想定したものであるが、独居老人や病人等を対象に一般家庭内で使用することも可能である。また、ＬＥＤ照明灯に高輝度型のＬＥＤを採用すればイベント会場や公共施設等の広範な場所又は屋外施設等においても使用することが可能である。
【図面の簡単な説明】
【００３０】
【図１】本発明のＬＥＤ照明装置を利用した位置情報管理システムの一実施例のシステム構成図である。
【図２】本発明のＬＥＤ照明装置を利用した位置情報管理システムにおけるＬＥＤ照明装置の一実施例の正面図である。
【図３】本発明のＬＥＤ照明装置を利用した位置情報管理システムにおける制御装置の一実施例の構成ブロック図である。
【図４】本発明のＬＥＤ照明装置を利用した位置情報管理システムの一実施例のネットワーク構成図である。
【図５】本発明のＬＥＤ照明装置を利用した位置情報管理システムにおけるＬＥＤ照明灯の一実施例の点灯電流波形図である。
【図６】本発明のＬＥＤ照明装置を利用した位置情報管理システムで使用する第一手段のＩＤ通信装置の外形斜視図である。
【図７】本発明のＬＥＤ照明装置を利用した位置情報管理システムの第一手段で使用するＩＤ通信装置の構成ブロック図である。
【図８】本発明のＬＥＤ照明装置を利用した位置情報管理システムで使用する第二手段のＩＤ通信装置の構成ブロック図である。
【図９】本発明のＬＥＤ照明装置を利用した位置情報管理システムの第二手段で使用する無線基地局の構成ブロック図である。
【符号の説明】
【００３１】
１  ＬＥＤ照明装置
２  ＬＥＤ照明灯
３  赤外線センサー
４  フォトセンサー
５  商用電源
６  サーバー
７  電源線
８  ＬＡＮケーブル
９  天井
１０  ＬＥＤ照明光
１１  赤外線
１２  フォトＩＤ信号
１３  ＩＤ通信装置
１４  人
１５  制御装置
１６  ネットワーク通信部
１７  制御部
１８  センサーインターフェース部
１９  点灯制御部
２０  直流電源装置
２１  通信網
２２  位置情報管理センター
２３  ＩＤ無し点灯電流
２４  ＩＤ有り点灯電流
２５  フォトセンサー
２６  赤外線ＬＥＤ
２７  制御部
２８  センサーインターフェース部
２９  点灯制御部
３０  バッテリー
３１  無線送信部
３２  アンテナ
３３  無線基地局
３４  アンテナ
３５  ワイヤレスＩＤ信号
３６  制御部
３７  無線受信部
３８  ネットワーク通信部
３９  電源部
【図１】
2005061934.tif 000003
【図２】
2005061934.tif 000004
【図３】
2005061934.tif 000005
【図４】
2005061934.tif 000006
【図５】
2005061934.tif 000007
【図６】
2005061934.tif 000008
【図７】
2005061934.tif 000009
【図８】
2005061934.tif 000010
【図９】
2005061934.tif 000011